(57)【要約】【課題】個室の使用状況をきわめて正確に把握することができる個室管理システムを提供する。【解決手段】個室管理システム１は、個室Ｐの常開扉ＤOが開いたときに開信号を出力する一方、常開扉ＤOが閉じたときに閉信号を出力する扉センサ１０と、個室Ｐ内における人の動きを感知したときに感知信号を出力する人感センサ２０と、扉センサ１０から出力された信号と人感センサ２０から出力された信号とに基づいて個室Ｐの状況を判断する個室状況判断部３０と、個室状況判断部３０で判断された個室Ｐの状況を表示する表示部４０と、を備える。個室状況判断部３０は、扉センサ１０から閉信号が出力されていない状態で人感センサ２０から感知信号が出力された場合に、個室Ｐが使用不可能な状況であると判断する。表示部４０は、個室Ｐから離隔した外部端末に設けられている。【選択図】図１
2018073077.tif 000002
【特許請求の範囲】
【請求項１】
個室の常開扉が開いたときに開信号を出力する一方、前記常開扉が閉じたときに閉信号を出力する扉センサと、
前記個室内における人の動きを感知したときに感知信号を出力する人感センサと、
前記扉センサから出力された信号と、前記人感センサから出力された信号と、に基づいて前記個室の状況を判断する個室状況判断部と、
前記個室状況判断部で判断された前記個室の状況を表示する表示部と、を備え、
前記個室状況判断部は、前記扉センサから前記閉信号が出力されていない状態で前記人感センサから前記感知信号が出力された場合に、前記個室が使用不可能な状況であると判断し、
前記表示部は、前記個室から離隔した外部端末に設けられている、
個室管理システム。
【請求項２】
前記人感センサは、前記感知信号が出力された時点から所定の待機時間が経過するまで次の感知信号を出力しない待機状態とされ、前記待機時間の経過後に、前記感知信号を出力可能な初期アクティブ状態とされる、請求項１に記載の個室管理システム。
【請求項３】
前記人感センサは、前記初期アクティブ状態において前記個室内における人の動きを所定時間感知しないときに初期非感知信号を出力し、その後、前記感知信号を出力可能な定期アクティブ状態とされる、請求項２に記載の個室管理システム。
【請求項４】
前記人感センサは、前記定期アクティブ状態において前記個室内における人の動きを所定時間感知しないときに定期非感知信号を出力し、その後、再度前記定期アクティブ状態とされる、請求項３に記載の個室管理システム。
【請求項５】
前記個室状況判断部は、前記待機状態において前記扉センサから前記閉信号が出力された場合に、前記個室内に使用者が入室したものと判断する、請求項２に記載の個室管理システム。
【請求項６】
前記人感センサは、前記初期アクティブ状態又は前記定期アクティブ状態において前記個室内における人の動きを感知したときに前記感知信号を出力し、
前記個室状況判断部は、前記人感センサから前記感知信号が出力された時点の前後において前記扉センサから前記閉信号が出力された場合に、前記個室内に使用者が入室したものと判断する、請求項３又は４に記載の個室管理システム。
【請求項７】
前記個室状況判断部は、前記個室内に使用者が入室したものと判断した後に、前記待機状態において前記扉センサから前記開信号が出力された場合に、前記個室から使用者が退室したものと判断する、請求項２から６の何れか一項に記載の個室管理システム。
【請求項８】
前記個室状況判断部は、前記個室内に使用者が入室したものと判断した後に、前記初期アクティブ状態又は前記定期アクティブ状態において前記扉センサから前記開信号が出力された場合に、前記個室から使用者が退室したものと判断する、請求項２から６の何れか一項に記載の個室管理システム。
【請求項９】
個室の常閉扉が開いたときに開信号を出力する一方、前記常閉扉が閉じたときに閉信号を出力する扉センサと、
前記個室内における人の動きを感知したときに感知信号を出力する人感センサと、
前記扉センサから出力された信号と、前記人感センサから出力された信号と、に基づいて前記個室の状況を判断する個室状況判断部と、
前記個室状況判断部で判断した前記個室の状況を表示する表示部と、を備え、
前記個室状況判断部は、前記扉センサから所定時間内に前記開信号及び前記閉信号が各々所定回数以上出力され、かつ、前記人感センサから前記感知信号が出力された場合に、前記個室が使用不可能な状況であるものと判断し、
前記表示部は、前記個室から離隔した外部端末に設けられている、
個室管理システム。
【請求項１０】
個室の常閉扉が開いたときに開信号を出力する一方、前記常閉扉が閉じたときに閉信号を出力する扉センサと、
前記個室内における人の動きを感知したときに感知信号を出力する人感センサと、
前記扉センサから出力された信号と、前記人感センサから出力された信号と、に基づいて前記個室の状況を判断する個室状況判断部と、
前記個室状況判断部で判断した前記個室の状況を表示する表示部と、を備え、
前記個室状況判断部は、前記人感センサから前記感知信号が出力されずに、前記扉センサから所定時間内に前記開信号及び前記閉信号が各々所定回数以上出力された場合に、前記個室が使用不可能な状況であるものと判断し、
前記表示部は、前記個室から離隔した外部端末に設けられている、
個室管理システム。
【請求項１１】
前記個室状況判断部は、前記扉センサから前記閉信号が所定時間以上出力されない場合に、前記常閉扉に異常があるものと判断する、請求項９又は１０に記載の個室管理システム。
【請求項１２】
前記人感センサは、前記感知信号が出力された時点から所定の待機時間が経過するまで次の感知信号を出力しない待機状態とされ、前記待機時間の経過後に、前記感知信号を出力可能な初期アクティブ状態とされる、請求項９から１１の何れか一項に記載の個室管理システム。
【請求項１３】
前記人感センサは、前記初期アクティブ状態において前記個室内における人の動きを所定時間感知しないときに初期非感知信号を出力し、その後、前記感知信号を出力可能な定期アクティブ状態とされる、請求項１２に記載の個室管理システム。
【請求項１４】
前記人感センサは、前記定期アクティブ状態において前記個室内における人の動きを所定時間感知しないときに定期非感知信号を出力し、その後、再度前記定期アクティブ状態とされる、請求項１３に記載の個室管理システム。
【請求項１５】
前記個室状況判断部は、前記待機状態において前記扉センサから前記開信号及び前記閉信号がこの順で出力された場合に、前記個室内に使用者が入室したものと判断する、請求項１２から１４の何れか一項に記載の個室管理システム。
【請求項１６】
前記人感センサは、前記初期アクティブ状態又は前記定期アクティブ状態において前記個室内における人の動きを感知したときに前記感知信号を出力し、
前記個室状況判断部は、前記人感センサから前記感知信号が出力された時点の前後において前記扉センサから前記開信号及び前記閉信号がこの順で出力された場合に、前記個室から使用者が入室したものと判断する、請求項１２から１４の何れか一項に記載の個室管理システム。
【請求項１７】
前記個室状況判断部は、前記個室内に使用者が入室したものと判断した後に、前記待機状態において前記扉センサから前記開信号及び前記閉信号がこの順で出力された場合に、前記個室から使用者が退室したものと判断する、請求項１２から１６の何れか一項に記載の個室管理システム。
【請求項１８】
前記個室状況判断部は、前記個室内に使用者が入室したものと判断した後に、前記初期アクティブ状態又は前記定期アクティブ状態において前記扉センサから前記開信号及び前記閉信号がこの順で出力された場合に、前記個室から使用者が退室したものと判断する、請求項１２から１６の何れか一項に記載の個室管理システム。
【請求項１９】
前記個室状況判断部は、前記個室内に使用者が入室したものと判断した後に、前記人感センサから前記感知信号が所定時間以上出力されない場合に、前記個室内に急病人が存在すると判断し、その判断を前記表示部に表示する、請求項１から１８の何れか一項に記載の個室管理システム。
【請求項２０】
前記個室状況判断部は、前記個室内に使用者が入室したものと判断した後に、前記人感センサからの前記感知信号の出力が所定時間継続された場合に、前記個室内に不審者が存在すると判断し、その判断を前記表示部に表示する、請求項１から１９の何れか一項に記載の個室管理システム。
【請求項２１】
前記扉センサは、前記扉の動きが所定時間なかった場合に、直前に送信した信号と同じ信号を定期的に出力する定期出力モードで動作する、請求項１から２０の何れか一項に記載の個室管理システム。
【請求項２２】
前記扉センサ及び前記人感センサは、各々ソーラーパネルを有するとともに、前記ソーラーパネルで生成された電力により駆動されるように構成されている、請求項１から２１の何れか一項に記載の個室管理システム。
【請求項２３】
前記扉センサ及び前記人感センサは、前記ソーラーパネルで生成された電力を蓄電するように構成されている、請求項２２に記載の個室管理システム。
【請求項２４】
前記扉センサ及び／又は人感センサは、芳香剤及び／又は消臭剤を有している、請求項１から２３の何れか一項に記載の個室管理システム。
【発明の詳細な説明】
【技術分野】
【０００１】
本発明は、個室管理システムに関する。
【背景技術】
【０００２】
従来より、多数の来客を想定した大型施設（例えばデパート、高速道路のサービスエリア、ショッピングセンター等）や多数の従業員が集中するビル施設（オフィスビル等）が各地に建設されている。かかる施設には、不特定多数の使用者が出入り可能な個室（トイレ、試着室、浴室等）が設けられているが、個室の使用状況を外部から把握することが困難な場合がある。
【０００３】
このため、現在においては、扉センサと人感センサとを併用して個室の使用状況を把握し、各個室に設置した表示器に使用状況を表示するシステムが提案されている（例えば、特許文献１参照）。かかるシステムによれば、扉センサと人感センサとの双方からＯＮ信号が出力された場合に個室が使用中であるものと判断して表示器にその旨を表示することができ、人感センサのみを使用する場合と比較すると誤作動を防止できる、とされている。
【先行技術文献】
【特許文献】
【０００４】
【特許文献１】特許第５７５９０４３号公報
【発明の概要】
【発明が解決しようとする課題】
【０００５】
ところで、近年においては、一施設への利用者の集中に伴い、使用希望者の数と比較して個室（特にトイレ）の数が相対的に不足する傾向がある。かかる状況下においては、個室まで辿り着いたものの既に他者が入室しているために個室が使用できないという場面が多く発生し得る。また、施設自体が大型化することから警備も隅々まで行き届きにくくなり、個室内に体調不良者や不審者が存在するか否かを早期に確認することが困難となる。このため、個室の使用状況を遠隔的に精度良く把握する技術が求められている。
【０００６】
この点、特許文献１に記載されたシステムを採用すると、人感センサのみを使用する場合よりは正確に個室の使用状況を把握することはできるものの、依然として以下のような問題があった。
【０００７】
例えば、個室の扉を開けて清掃作業をしている場合、人感センサはＯＮ信号を出力しているものの扉センサはＯＮ信号を出力しないため、実際に人が使用中または清掃作業中で個室が使用できなくても「使用可能である」と判断してしまう。また、常開扉を有する個室が何らかの理由により使用できない状況（例えば嘔吐物等でトイレが汚れているような状況）においては、一旦個室に入室しようとした動きを人感センサが感知してＯＮ信号を出力するが扉センサはＯＮ信号を出力しないため、実際の個室は使用できない状況であるにもかかわらず「使用可能である」と判断してしまう、という問題がある。
【０００８】
本発明は、かかる事情に鑑みてなされたものであり、個室の使用状況をきわめて正確に把握することができる個室管理システムを提供することを目的とする。
【課題を解決するための手段】
【０００９】
前記目的を達成するため、本発明に係る第一の個室管理システムは、個室の常開扉が開いたときに開信号を出力する一方、常開扉が閉じたときに閉信号を出力する扉センサと、個室内における人の動きを感知したときに感知信号を出力する人感センサと、扉センサから出力された信号と、人感センサから出力された信号と、に基づいて個室の状況を判断する個室状況判断部と、個室状況判断部で判断された個室の状況を表示する表示部と、を備え、個室状況判断部は、扉センサから閉信号が出力されていない状態で人感センサから感知信号が出力された場合に、個室が使用不可能な状況であると判断し、表示部は、個室から離隔した外部端末に設けられているものである。
【００１０】
かかる構成を採用すると、扉センサからの信号と、人感センサからの信号と、の組合せにより、個室の状況を正確に判断することが可能となる。すなわち、扉センサから閉信号が出力されていない状態（常開扉が閉じられていない状態）で人感センサから感知信号が出力された場合に、個室が使用不可能な状況であると判断することができる。従来の技術によれば、常開扉が閉じられていない場合には「個室が使用可能な状況である」と判断されることとなるが、常開扉が閉じられていなくても個室が使用不可能な状況（例えば、業者が個室内の清掃を行っていたり、個室内が使用不可能なほどに汚れたりしている状況）があり得る。本システムによれば、このような状況を、扉センサからの信号だけではなく人感センサからの信号を参照することにより容易に特定することができる。例えば、業者が個室内の清掃を行っている場合には、個室内における業者の動きを人感センサが感知して感知信号を出力する。また、個室内が使用不可能なほどに汚れている場合には、個室内に一度入り込んだ（又は入ろうとする）使用者の動きを人感センサが感知して感知信号を出力する。個室状況判断部は、常開扉が閉じられていなくてもこれらのような感知信号が出力された場合に、個室内が使用不可能な状況であると判断することができる。
【００１１】
また、かかる構成を採用すると、個室状況判断部で判断された個室の状況を、個室から離隔した外部端末（携帯電話、スマートフォン、タブレット、ノートＰＣ等の携帯可能な端末装置のほか、個室から離隔した場所（例えばショッピングモールのフードコートやエレベータの周辺等）に設置された電子案内板等）の表示部に表示することができる。従って、使用者は、個室が使用可能な状況であるかどうかを、個室から離隔した場所から遠隔的に把握することが可能となる。さらに、かかる構成を採用すると、個室から離隔した外部端末に設けられた表示部に、個室の状況を表示することができるため、個室毎に表示部を設ける必要がなくなる。従って、個室毎の表示部設置作業に従来費やされていた手間やコストを削減することが可能となる。
【００１２】
本発明に係る第一の個室管理システムにおいて、人感センサは、感知信号が出力された時点から所定の待機時間が経過するまで次の感知信号を出力しない待機状態とされ、待機時間の経過後に、感知信号を出力可能な初期アクティブ状態とされることができる。
【００１３】
かかる構成を採用すると、人感センサは、感知信号が出力された時点から所定の待機時間（例えば１分間）が経過するまで次の感知信号を出力しない待機状態とされるため、人感センサの動作（信号の出力）に要する電力を節減することが可能となる。なお、感知信号の出力後には個室内に人がしばらく存在することが多いため、人感センサをすぐに初期アクティブ状態とせずにこのような待機時間を設けても差支えない。
【００１４】
本発明に係る第一の個室管理システムにおいて、人感センサは、初期アクティブ状態において個室内における人の動きを所定時間感知しないときに初期非感知信号を出力し、その後、感知信号を出力可能な定期アクティブ状態とされることができる。また、人感センサは、定期アクティブ状態において個室内における人の動きを所定時間感知しないときに定期非感知信号を出力し、その後、再度定期アクティブ状態とされることができる。
【００１５】
かかる構成を採用すると、人感センサは、初期アクティブ状態において個室内における人の動きを所定時間（例えば４分間）感知しないときに初期非感知信号を出力し、その後、感知信号を出力可能な定期アクティブ状態とされる。さらに、人感センサは、定期アクティブ状態において個室内における人の動きを所定時間（例えば２０分間）感知しないときに定期非感知信号を出力し、その後、再度定期アクティブ状態とされる。このように、アクティブ状態を初期と定期とに分け、定期アクティブ状態で人の動きを感知しない場合には定期非感知信号を出力して定期アクティブ状態を続行するため、人感センサの動作（信号の出力）に要する電力を節減することが可能となる。人の動きを感知すると再度待機状態を経て初期アクティブ状態となるため、人の動きを感知するまでは、定期的に非感知信号を出力する定期アクティブ状態を続行しても差支えない。また、定期的に非感知信号を出力することにより、個室の利用がなく感知信号が送信されない時間帯（例えば、夜や休館日等）でも、人感センサが正常に動作していることを遠隔地から確認することが可能となる。
【００１６】
本発明に係る第一の個室管理システムにおいて、個室状況判断部は、待機状態において扉センサから閉信号が出力された場合に、個室内に使用者が入室したものと判断することができる。
【００１７】
かかる構成を採用すると、待機状態において扉センサから閉信号が出力された場合に、個室内に使用者が入室したものと判断することができる。
【００１８】
本発明に係る第一の個室管理システムにおいて、人感センサは、初期アクティブ状態又は定期アクティブ状態において個室内における人の動きを感知したときに感知信号を出力することができる。かかる場合において、個室状況判断部は、人感センサから感知信号が出力された時点の前後において扉センサから閉信号が出力された場合に、個室内に使用者が入室したものと判断することができる。
【００１９】
かかる構成を採用すると、初期アクティブ状態や定期アクティブ状態において人感センサにより感知信号が出力された時点の前後において扉センサから閉信号が出力された場合に、個室内に使用者が入室したものと判断することができる。
【００２０】
本発明に係る第一の個室管理システムにおいて、個室状況判断部は、個室内に使用者が入室したものと判断した後に、待機状態において扉センサから開信号が出力された場合に、個室から使用者が退室したものと判断することができる。
【００２１】
かかる構成を採用すると、個室内に使用者が入室したものと判断した後に、待機状態において扉センサから開信号が出力された場合に、個室から使用者が退室したものと判断することができる。初期アクティブ状態や定期アクティブ状態において人感センサにより感知信号が出力された直後には待機状態とされるため、待機状態において扉センサからの開信号の出力の有無をモニタリングすることにより、ほぼ全てのケースで退室判断を行うことができる（人感センサにより感知信号が出力されない状態で内部から常開扉が開けられて扉センサから開信号が出力されることは想定し難いためである）。
【００２２】
本発明に係る第一の個室管理システムにおいて、個室状況判断部は、個室内に使用者が入室したものと判断した後に、初期アクティブ状態又は定期アクティブ状態において扉センサから開信号が出力された場合に、個室から使用者が退室したものと判断することができる。
【００２３】
かかる構成を採用すると、個室内に使用者が入室したものと判断した後に、初期アクティブ状態や定期アクティブ状態において扉センサから開信号が出力された場合に、個室から使用者が退室したものと判断することができる。初期アクティブ状態や定期アクティブ状態のまま人感センサが故障して感知信号を出力しなくなるようなケースもあり得る。そのような場合においても、扉センサからの開信号の出力の有無をモニタリングすることにより、退室判断を行うことができる。
【００２４】
また、本発明に係る第二の個室管理システムは、個室の常閉扉が開いたときに開信号を出力する一方、常閉扉が閉じたときに閉信号を出力する扉センサと、個室内における人の動きを感知したときに感知信号を出力する人感センサと、扉センサから出力された信号と、人感センサから出力された信号と、に基づいて個室の状況を判断する個室状況判断部と、個室状況判断部で判断した個室の状況を表示する表示部と、を備え、個室状況判断部は、扉センサから所定時間内に開信号及び閉信号が各々所定回数以上出力され、かつ、人感センサから感知信号が出力された場合に、個室が使用不可能な状況であるものと判断し、表示部は、個室から離隔した外部端末に設けられているものである。
【００２５】
かかる構成を採用すると、扉センサからの信号と、人感センサからの信号と、の組合せにより、個室の状況を正確に判断することが可能となる。すなわち、（例えば、業者が個室内の清掃を行っているために常閉扉が短い時間に何度も開閉されたり、個室内が使用不可能なほどに汚れているために常閉扉が短い時間に複数の者により開閉されたりすることにより）扉センサから所定時間内に開信号及び閉信号が各々所定回数以上出力され、かつ、人感センサから感知信号が出力された場合に、個室が使用不可能な状況であるものと判断することができる。従来の技術によれば、常閉扉が閉じられている場合には「個室が使用可能な状況である」と判断されることとなるが、常閉扉が一時的に閉じられていても個室が使用不可能な状況（例えば、業者が個室内の清掃を行っていたり、個室内が使用不可能なほどに汚れたりしている状況）があり得る。本システムによれば、このような状況を、扉センサからの信号だけではなく人感センサからの信号を参照することにより容易に特定することができる。例えば、業者が個室内の清掃を行っている場合には、個室内における業者の動きを人感センサが感知して感知信号を出力する。また、個室内が使用不可能なほどに汚れている場合には、個室内に一度入り込んだ使用者の動きを人感センサが感知して感知信号を出力する。個室状況判断部は、常閉扉が一時的に閉じられていてもこれらのような感知信号が出力された場合に、個室内が使用不可能な状況であると判断することができる。
【００２６】
また、かかる構成を採用すると、個室状況判断部で判断された個室の状況を、個室から離隔した外部端末（携帯電話、スマートフォン、タブレット、ノートＰＣ等の携帯可能な端末装置のほか、個室から離隔した場所（例えばショッピングモールのフードコートやエレベータの周辺等）に設置された電子案内板等）の表示部に表示することができる。従って、使用者は、個室が使用可能な状況であるかどうかを、個室から離隔した場所から遠隔的に把握することが可能となる。さらに、かかる構成を採用すると、個室から離隔した外部端末に設けられた表示部に、個室の状況を表示することができるため、個室毎に表示部を設ける必要がなくなる。従って、個室毎の表示部設置作業に従来費やされていた手間やコストを削減することが可能となる。
【００２７】
また、本発明に係る第三の個室管理システムは、個室の常閉扉が開いたときに開信号を出力する一方、常閉扉が閉じたときに閉信号を出力する扉センサと、個室内における人の動きを感知したときに感知信号を出力する人感センサと、扉センサから出力された信号と、人感センサから出力された信号と、に基づいて個室の状況を判断する個室状況判断部と、個室状況判断部で判断した個室の状況を表示する表示部と、を備え、個室状況判断部は、人感センサから感知信号が出力されずに、扉センサから所定時間内に開信号及び閉信号が各々所定回数以上出力された場合に、個室が使用不可能な状況であるものと判断し、表示部は、個室から離隔した外部端末に設けられているものである。
【００２８】
かかる構成を採用すると、扉センサからの信号と、人感センサからの信号と、の組合せにより、個室の状況を正確に判断することが可能となる。すなわち、（例えば、常閉扉を少し開けるだけで個室内に入室せずに個室内が使用不可能なほどに汚れている状況に気付けるような場合に、常閉扉が連続して複数の者により開閉されたりすることにより）人感センサが人の動きを感知せずに、扉センサから開信号及び閉信号が各々所定回数以上連続して出力された場合に、個室が使用不可能な状況であるものと判断することができる。従来の技術によれば、常閉扉を有する個室において人感センサから感知信号が無く、常閉扉が閉じられている場合には「個室が使用可能な状況である」と判断されることとなるが、常閉扉が一時的に閉じられていても個室が使用不可能な状況（例えば、個室内が使用不可能なほどに汚れたりしている状況）があり得る。本システムによれば、このような状況を、扉センサからの信号だけではなく人感センサからの感知信号が無いことを参照することにより容易に特定することができる。例えば、個室内が使用不可能なほどに汚れている場合には、常閉扉を開け個室内に入り込まずにその状況に気付いたため個室の利用を諦めた者の存在を、扉センサからの信号と、人感センサからの感知信号が無いことと、を組み合わせることで、個室状況判断部は個室内が使用不可能な状況であると判断することができる。
【００２９】
本発明に係る第二又は第三の個室管理システムにおいて、個室状況判断部は、扉センサから閉信号が所定時間以上出力されない場合に、常閉扉に異常があるものと判断することができる。
【００３０】
かかる構成を採用すると、扉センサから閉信号が所定時間以上出力されない場合に、常閉扉に異常があるものと判断することができる。常閉扉の場合、その開閉に伴って開信号の出力の直後に閉信号の出力が続くはずであるが、建て付け不良等に起因して常閉扉が閉まらなかった場合は、閉信号が所定時間以上出力されないこととなる。従って、閉信号が所定時間以上出力されないことにより、常閉扉に異常があるものと判断することができる。
【００３１】
本発明に係る第二又は第三の個室管理システムにおいて、人感センサは、感知信号が出力された時点から所定の待機時間が経過するまで次の感知信号を出力しない待機状態とされ、待機時間の経過後に、感知信号を出力可能な初期アクティブ状態とされることができる。
【００３２】
かかる構成を採用すると、人感センサは、感知信号が出力された時点から所定の待機時間（例えば１分間）が経過するまで次の感知信号を出力しない待機状態とされるため、人感センサの動作（信号の出力）に要する電力を節減することが可能となる。なお、感知信号の出力後には個室内に人がしばらく存在することが多いため、人感センサをすぐに初期アクティブ状態とせずにこのような待機時間を設けても差支えない。
【００３３】
本発明に係る第二又は第三の個室管理システムにおいて、人感センサは、初期アクティブ状態において個室内における人の動きを所定時間感知しないときに初期非感知信号を出力し、その後、感知信号を出力可能な定期アクティブ状態とされることができる。また、人感センサは、定期アクティブ状態において個室内における人の動きを所定時間感知しないときに定期非感知信号を出力し、その後、再度定期アクティブ状態とされることができる。
【００３４】
かかる構成を採用すると、人感センサは、初期アクティブ状態において個室内における人の動きを所定時間（例えば４分間）感知しないときに初期非感知信号を出力し、その後、感知信号を出力可能な定期アクティブ状態とされる。さらに、人感センサは、定期アクティブ状態において個室内における人の動きを所定時間（例えば２０分間）感知しないときに定期非感知信号を出力し、その後、再度定期アクティブ状態とされる。このように、アクティブ状態を初期と定期とに分け、定期アクティブ状態で人の動きを感知しない場合には定期非感知信号を出力して定期アクティブ状態を続行するため、人感センサの動作（信号の出力）に要する電力を節減することが可能となる。人の動きを感知すると再度待機状態を経て初期アクティブ状態となるため、人の動きを感知するまでは、定期的に非感知信号を出力する定期アクティブ状態を続行しても差支えない。また、定期的に非感知信号を出力することにより、個室の利用がなく感知信号が送信されない時間帯（例えば、夜や休館日等）でも、人感センサが正常に動作していることを遠隔地から確認することが可能となる。
【００３５】
本発明に係る第二又は第三の個室管理システムにおいて、個室状況判断部は、待機状態において扉センサから開信号及び閉信号がこの順で出力された場合に、個室内に使用者が入室したものと判断することができる。
【００３６】
かかる構成を採用すると、待機状態において扉センサから開信号及び閉信号がこの順で出力された場合に、個室内に使用者が入室したものと判断することができる。
【００３７】
本発明に係る第二又は第三の個室管理システムにおいて、人感センサは、初期アクティブ状態又は定期アクティブ状態において個室内における人の動きを感知したときに感知信号を出力することができる。かかる場合において、個室状況判断部は、人感センサから感知信号が出力された時点の前後において扉センサから開信号及び閉信号がこの順で出力された場合に、個室から使用者が入室したものと判断することができる。
【００３８】
かかる構成を採用すると、初期アクティブ状態や定期アクティブ状態において人感センサにより感知信号が出力された時点の前後において扉センサから開信号及び閉信号がこの順で出力された場合に、個室内に使用者が入室したものと判断することができる。
【００３９】
本発明に係る第二又は第三の個室管理システムにおいて、個室状況判断部は、個室内に使用者が入室したものと判断した後に、待機状態において扉センサから開信号及び閉信号がこの順で出力された場合に、個室から使用者が退室したものと判断することができる。
【００４０】
かかる構成を採用すると、個室内に使用者が入室したものと判断した後に、待機状態において扉センサから開信号及び閉信号がこの順で出力された場合に、個室から使用者が退室したものと判断することができる。初期アクティブ状態や定期アクティブ状態において人感センサにより感知信号が出力された直後には待機状態とされるため、待機状態において扉センサからの開閉信号の出力の有無をモニタリングすることにより、ほぼ全てのケースで退室判断を行うことができる（人感センサにより感知信号が出力されない状態で内部から常閉扉が開けられて扉センサから開閉信号が出力されることは想定し難いためである）。
【００４１】
本発明に係る第二又は第三の個室管理システムにおいて、個室状況判断部は、個室内に使用者が入室したものと判断した後に、初期アクティブ状態又は定期アクティブ状態において扉センサから開信号及び閉信号がこの順で出力された場合に、個室から使用者が退室したものと判断することができる。
【００４２】
かかる構成を採用すると、個室内に使用者が入室したものと判断した後に、初期アクティブ状態や定期アクティブ状態において扉センサから開信号及び閉信号がこの順で出力された場合に、個室から使用者が退室したものと判断することができる。初期アクティブ状態や定期アクティブ状態のまま人感センサが故障して感知信号を出力しなくなるようなケースもあり得る。そのような場合においても、扉センサからの開閉信号の出力の有無をモニタリングすることにより、退室判断を行うことができる。
【００４３】
本発明に係る個室管理システムにおいて、個室状況判断部は、個室内に使用者が入室したものと判断した後に、人感センサから感知信号が所定時間以上出力されない場合に、個室内に急病人が存在すると判断し、その判断を表示部に表示することができる。
【００４４】
かかる構成を採用すると、個室内に使用者が入室した後に人感センサから感知信号が所定時間（例えば１０分間）以上出力されない場合に、個室内に動かない急病人が存在すると判断し、その判断を表示部に表示することができる。
【００４５】
本発明に係る個室管理システムにおいて、個室状況判断部は、個室内に使用者が入室したものと判断した後に、人感センサからの感知信号の出力が所定時間継続された場合に、個室内に不審者が存在すると判断し、その判断を表示部に表示することができる。
【００４６】
かかる構成を採用すると、個室内に使用者が入室した後に人感センサからの感知信号の出力が所定時間（例えば２０分）継続された場合に、個室内に留まり動き続けている不審者が存在すると判断し、その判断を表示部に表示することができる。
【００４７】
本発明に係る個室管理システムにおいて、扉センサは、扉の動きが所定時間なかった場合に、直前に送信した信号と同じ信号を定期的に出力する定期出力モードで動作することができる。
【００４８】
かかる構成を採用すると、扉センサは、扉の動きが所定時間（例えば２０分間）なかった場合に、直前に送信した信号と同じ信号を定期的に出力する定期出力モードで動作することができる。従って、扉センサの動作（信号の出力）に要する電力を節減することが可能となる。また、定期的に信号を出力することにより、個室の利用がなく信号が送信されない時間帯（例えば、夜や休館日等）でも、扉センサが正常に動作していることを遠隔地から確認することが可能となる。
【００４９】
本発明に係る個室管理システムにおいて、扉センサ及び人感センサは、各々ソーラーパネルを有するとともに、ソーラーパネルで生成された電力により駆動されるように構成されることができる。
【００５０】
かかる構成を採用すると、扉センサ及び人感センサを、各々に設けたソーラーパネルで生成した電力により駆動することができる。従って、コンセントを介した電力の供給が不要となるとともに、乾電池や蓄電池等の化学電池を設ける必要もなくなる。また、コンセント等からの給電の必要が無くなるため、光により電力を生成できる箇所であれば扉センサ及び人感センサを設置可能となる。
【００５１】
本発明に係る個室管理システムにおいて、扉センサ及び人感センサは、ソーラーパネルで生成された電力を蓄電するように構成されることができる。
【００５２】
かかる構成を採用すると、扉センサ及び人感センサは、ソーラーパネルで生成した電力を蓄電することができるので、電力を生成できない状況（例えばソーラーパネルに長期間光が当たらないような状況）においても信号を出力し続けることが可能となる。かかる蓄電機能がない場合には、ソーラーパネルに光が当たらない限り信号の出力ができなくなり、故障といった誤判断がもたらされることとなる。
【００５３】
本発明に係る個室管理システムにおいて、扉センサ及び／又は人感センサは、芳香剤及び／又は消臭剤を有することができる。
【００５４】
かかる構成を採用すると、扉センサや人感センサとは別に芳香剤や消臭剤を設ける必要がない。
【発明の効果】
【００５５】
本発明によれば、個室の使用状況をきわめて正確に把握することができる個室管理システムを提供することが可能となる。
【図面の簡単な説明】
【００５６】
【図１】本発明の実施形態に係る個室管理システムの全体構成を説明するための構成図である。
【図２】本発明の実施形態に係る個室管理システムの機能的構成を説明するためのブロック図である。
【図３】本発明の第一実施形態に係る個室管理システムによる判断の流れを説明するためのフローチャートである。
【図４】本発明の第一実施形態に係る個室管理システムによる判断の流れを説明するためのフローチャートである。
【図５】本発明の第一実施形態に係る個室管理システムによる判断の流れを説明するためのフローチャートである。
【図６】本発明の第二実施形態に係る個室管理システムによる判断の流れを説明するためのフローチャートである。
【図７】本発明の第二実施形態に係る個室管理システムによる判断の流れを説明するためのフローチャートである。
【図８】本発明の第二実施形態に係る個室管理システムによる判断の流れを説明するためのフローチャートである。
【発明を実施するための形態】
【００５７】
以下、図面を参照して、本発明の各実施形態について説明する。なお、以下の各実施形態はあくまでも好適な適用例であって、本発明の適用範囲がこれに限定されるものではない。
【００５８】
＜第一実施形態＞
まず、図１及び図２を用いて、本発明の第一実施形態に係る個室管理システム１の構成について説明する。本実施形態に係る個室管理システム１は、常開扉ＤOを有する個室Ｐの使用状況を把握するためのものであって、常開扉ＤOが開閉されたときに開閉信号を出力する扉センサ１０と、人の動きを感知したときに感知信号を出力する人感センサ２０と、個室Ｐの状況を判断する個室状況判断部３０と、個室の状況を表示する表示部４０と、を備えている。
【００５９】
扉センサ１０は、個室Ｐの常開扉ＤOが開いたときに開信号を出力する一方、個室Ｐの常開扉ＤOが閉じたときに閉信号を出力するように構成されている。本実施形態における扉センサ１０は、図１に示すようにソーラーパネルＳDを有しており、ソーラーパネルＳDで生成された電力により駆動されるように構成されるとともに、ソーラーパネルＳDで生成された電力を蓄電するように構成されている。また、扉センサ１０は、常開扉ＤOの動きが所定時間（例えば２０分間）なかった場合に、直前に送信した信号と同じ信号を定期的に（例えば２０分毎に）出力する「定期出力モード」で動作するように構成されている。
【００６０】
人感センサ２０は、個室Ｐ内における人の動きを感知したときに感知信号を出力するように構成されている。本実施形態における人感センサ２０は、図１に示すようにソーラーパネルＳPを有しており、ソーラーパネルＳPで生成された電力により駆動されるように構成されるとともに、ソーラーパネルＳPで生成された電力を蓄電するように構成されている。また、人感センサ２０は、芳香剤兼消臭剤Ｆを有している。
【００６１】
人感センサ２０は、感知信号が出力された時点から所定の待機時間（例えば１分間）が経過するまで次の感知信号を出力しない「待機状態」とされ、待機時間の経過後に、感知信号を出力可能な「初期アクティブ状態」とされる。人感センサ２０は、「初期アクティブ状態」において個室Ｐ内における人の動きを所定時間（例えば４分間）感知しないときに初期非感知信号を出力し、その後、感知信号を出力可能な「定期アクティブ状態」とされる。人感センサ２０は、「定期アクティブ状態」において個室Ｐ内における人の動きを所定時間（例えば２０分間）感知しないときに定期非感知信号を出力し、その後、再度「定期アクティブ状態」とされる。人感センサ２０は、「初期アクティブ状態」又は「定期アクティブ状態」において個室Ｐ内における人の動きを感知したときに感知信号を出力する。
【００６２】
個室状況判断部３０は、扉センサ１０から出力された信号と、人感センサ２０から出力された信号と、に基づいて個室Ｐの状況を判断する機能を有している。個室状況判断部３０の形態は、このような機能を有するものであれば特に限定はなく、例えばインターネット回線を介して提供される特定のシステムを採用することができる。本実施形態に係る個室管理システム１においては、各扉センサ１０から出力された信号と、各人感センサ２０から出力された信号と、を中継器５０で受信し、中継器５０がこれらの信号をまとめて個室状況判断部３０に送信するようになっている。
【００６３】
個室状況判断部３０は、扉センサ１０から閉信号が出力されていない状態で人感センサ２０から感知信号が出力された場合に、個室Ｐが使用不可能な状況であると判断する。また、個室状況判断部３０は、人感センサ２０から感知信号が出力された時点の前後において扉センサ１０から閉信号が出力された場合に、個室Ｐ内に使用者が入室したものと判断する。なお、本実施形態における個室状況判断部３０は、「扉センサ１０から閉信号が出力されていない状態で人感センサ２０から感知信号が出力された」パターン（以下、「非閉感知パターン」と称する）が一回発生した場合に、個室Ｐが使用不可能な状況であると判断するが、非閉感知パターンが所定回数（例えば２回）以上連続して発生した場合に、個室Ｐが使用不可能な状況であると判断してもよい。
【００６４】
個室状況判断部３０は、個室Ｐ内に使用者が入室したものと判断した後に、人感センサ２０の「待機状態」において扉センサ１０から開信号が出力された場合に、個室Ｐから使用者が退室したものと判断する。また、個室状況判断部３０は、個室Ｐ内に使用者が入室したものと判断した後に、人感センサ２０の「待機状態」において、扉センサ１０から開信号が出力され、その後、閉信号が出力された場合に、個室Ｐ内に使用者が入室したものと判断する。なお、個室状況判断部３０は、個室Ｐ内に使用者が入室したものと判断した後に、人感センサ２０の故障等により退室に伴う人の動きを感知できず「初期アクティブ状態」又は「定期アクティブ状態」において扉センサ１０から開信号が出力された場合においても、個室Ｐから使用者が退室したものと判断する。
【００６５】
個室状況判断部３０は、個室Ｐ内に使用者が入室したものと判断した後に、人感センサ２０から感知信号が所定時間（例えば１０分間）以上出力されない場合に、個室Ｐ内に急病人が存在すると判断し、その判断を表示部４０に表示する。また、個室状況判断部３０は、個室Ｐ内に使用者が入室したものと判断した後に、人感センサ２０からの感知信号の出力が所定時間（例えば２０分間）継続された場合に、個室Ｐ内に不審者が存在すると判断し、その判断を表示部４０に表示する。
【００６６】
表示部４０は、個室状況判断部３０で判断された個室Ｐの状況を表示するものである。表示部４０は、個室Ｐから離隔した外部端末に設けられている。外部端末の例としては、例えば、携帯電話、スマートフォン１００（図１）、タブレット、ノートＰＣ等の使用者が携帯可能な端末装置のほか、個室Ｐから離隔した場所（例えばショッピングモールのフードコートやエレベータの周辺等）に設置された電子案内板や、管理者が所有するデスクトップＰＣ２００（図１）等が挙げられる。
【００６７】
次に、図３〜図５のフローチャートを用いて、本実施形態に係る個室管理システム１による判断の流れについて説明する。
【００６８】
まず、図３に示すように、人感センサ２０は、「初期アクティブ状態」又は「定期アクティブ状態」において個室Ｐ内における人の動きを感知した場合に（ステップＳ１：Yes）、感知信号を出力する（ステップＳ２）。次いで、個室状況判断部３０は、人感センサ２０から感知信号が出力された時点の前後（例えばその時点の１分前から１分後までの間）で扉センサ１０から閉信号が出力されている（ステップＳ３：Yes）と判断した場合には、個室Ｐ内に使用者が入室したものと判断する（ステップＳ４）。一方、個室状況判断部３０は、人感センサ２０から感知信号が出力された時点の前後で扉センサ１０から閉信号が出力されていない（ステップＳ３：No）と判断した場合に、個室Ｐ内で清掃等が行われているものと判断する（ステップＳ５）。個室状況判断部３０は、ステップＳ４及びＳ５における判断結果を表示部４０に表示する。
【００６９】
ここで、人感センサ２０は、感知信号の出力時点から所定の待機時間（例えば１分間）が経過するまでは、感知信号を出力しない「待機状態」とされる（ステップＳ６：No、図５のステップＳ３０）。一方、人感センサ２０は、待機時間が経過した後、感知信号を出力可能な「初期アクティブ状態」とされる（ステップＳ６：Yes、図４のステップＳ１０）。
【００７０】
人感センサ２０は、「初期アクティブ状態」において個室Ｐ内における人の動きを感知したときに感知信号を出力し（ステップＳ１１：Yes、ステップＳ１２）、図５のステップＳ３０に移行する。一方、人感センサ２０、「初期アクティブ状態」において個室Ｐ内における人の動きを所定時間（例えば４分間）感知しないときに初期非感知信号を出力し（ステップＳ１１：No、ステップＳ１３：Yes、ステップＳ１４）、その後、感知信号を出力可能な「定期アクティブ状態」とされる（ステップＳ２０）。
【００７１】
人感センサ２０は、「定期アクティブ状態」において個室Ｐ内における人の動きを感知したときに感知信号を出力し（ステップＳ２１：Yes、ステップＳ２２）、図５のステップＳ３０に移行する。一方、人感センサ２０は、「定期アクティブ状態」において個室Ｐ内における人の動きを所定時間（例えば２０分間）感知しないときに定期非感知信号を出力し（ステップＳ２１：No、ステップＳ２３：Yes、ステップＳ２４）、その後、再度「定期アクティブ状態」とされる（ステップＳ２０）。
【００７２】
個室状況判断部３０は、個室Ｐ内に使用者が入室したものと判断した後に、人感センサ２０の「待機状態」において扉センサ１０から開信号が出力された場合に、個室Ｐから使用者が退室したものと判断する（図５のステップＳ３１：Yes、ステップＳ３２）。また、個室状況判断部３０は、その後、「待機状態」において閉信号が出力された場合に、個室Ｐ内に使用者が入室したものと判断する（ステップＳ３３：No、ステップＳ３４:Yes、ステップＳ３５）。なお、個室状況判断部３０は、個室Ｐ内に使用者が入室したものと判断した後に、人感センサ２０の故障等により退室に伴う人の動きを感知できず「初期アクティブ状態」又は「定期アクティブ状態」において扉センサ１０から開信号が出力された場合においても、個室Ｐから使用者が退室したものと判断することができる。これらの入室判断もしくは退室判断が行われた場合、表示部４０にその判断を表示する。
【００７３】
以上説明した実施形態に係る個室管理システム１においては、扉センサ１０からの信号と、人感センサ２０からの信号と、の組合せにより、個室Ｐの状況を正確に判断することが可能となる。すなわち、扉センサ１０から閉信号が出力されていない状態（常開扉ＤOが閉じられていない状態）で人感センサ２０から感知信号が出力された場合に、個室Ｐが使用不可能な状況であると判断することができる。従来の技術によれば、常開扉ＤOが閉じられていない場合には「個室Ｐが使用可能な状況である」と判断されることとなるが、常開扉ＤOが閉じられていなくても個室Ｐが使用不可能な状況（例えば、業者が個室Ｐ内の清掃を行っていたり、個室Ｐ内が使用不可能なほどに汚れたりしている状況）があり得る。本個室管理システム１によれば、このような状況を、扉センサ１０からの信号だけではなく人感センサ２０からの信号を参照することにより容易に特定することができる。例えば、業者が個室Ｐ内の清掃を行っている場合には、個室Ｐ内における業者の動きを人感センサ２０が感知して感知信号を出力する。また、個室Ｐ内が使用不可能なほどに汚れている場合には、個室Ｐ内に一度入り込んだ（又は入ろうとする）使用者の動きを人感センサ２０が感知して感知信号を出力する。個室状況判断部３０は、常開扉ＤOが閉じられていなくてもこれらのような感知信号が出力された場合に、個室Ｐ内が使用不可能な状況であると判断することができる。
【００７４】
また、以上説明した実施形態に係る個室管理システム１においては、個室状況判断部３０で判断された個室Ｐの状況を、個室Ｐから離隔した外部端末（例えばスマートフォン１００やデスクトップＰＣ２００）の表示部４０に表示することができる。従って、使用者は、個室Ｐが使用可能な状況であるかどうかを、個室Ｐから離隔した場所から遠隔的に把握することが可能となる。また、個室Ｐから離隔した外部端末に設けられた表示部４０に、個室Ｐの状況を表示することができるため、個室Ｐ毎に表示部４０を設ける必要がなくなる。従って、個室Ｐ毎の表示部設置作業に従来費やされていた手間やコストを削減することが可能となる。
【００７５】
また、以上説明した実施形態に係る個室管理システム１においては、人感センサ２０が、感知信号が出力された時点から所定の待機時間（例えば１分間）が経過するまで次の感知信号を出力しない「待機状態」とされるため、人感センサ２０の動作（信号の出力）に要する電力を節減することが可能となる。なお、感知信号の出力後には個室Ｐ内に人がしばらく存在することが多いため、人感センサ２０をすぐに初期アクティブ状態とせずにこのような待機時間を設けても差支えない。
【００７６】
また、以上説明した実施形態に係る個室管理システム１においては、人感センサ２０が、「初期アクティブ状態」において個室Ｐ内における人の動きを所定時間（例えば４分間）感知しないときに初期非感知信号を出力し、その後、感知信号を出力可能な「定期アクティブ状態」とされ、さらに、「定期アクティブ状態」において個室Ｐ内における人の動きを所定時間（例えば２０分間）感知しないときに定期非感知信号を出力し、その後、再度「定期アクティブ状態」とされる。このように、アクティブ状態を初期と定期とに分け、「定期アクティブ状態」で人の動きを感知しない場合には定期非感知信号を出力して「定期アクティブ状態」を続行するため、人感センサ２０の動作（信号の出力）に要する電力を節減することが可能となる。人の動きを感知すると再度待機状態を経て「初期アクティブ状態」となるため、人の動きを感知するまでは、定期的に非感知信号を出力する「定期アクティブ状態」を続行しても差支えない。また、定期的に非感知信号を出力することにより、個室Ｐの利用がなく感知信号が送信されない時間帯（例えば、夜や休館日等）でも、人感センサ２０が正常に動作していることを遠隔地から確認することが可能となる。
【００７７】
また、以上説明した実施形態に係る個室管理システム１においては、人感センサ２０の「待機状態」において扉センサ１０から閉信号が出力された場合に、個室Ｐ内に使用者が入室したものと判断することができる。また、「初期アクティブ状態」や「定期アクティブ状態」において人感センサ２０により感知信号が出力された時点の前後において扉センサ１０から閉信号が出力された場合に、個室Ｐ内に使用者が入室したものと判断することができる。
【００７８】
また、以上説明した実施形態に係る個室管理システム１においては、個室Ｐ内に使用者が入室したものと判断した後に、「待機状態」において扉センサ１０から開信号が出力された場合に、個室Ｐから使用者が退室したものと判断することができる。「初期アクティブ状態」や「定期アクティブ状態」において人感センサ２０により感知信号が出力された直後には「待機状態」とされるため、「待機状態」において扉センサ１０からの開信号の出力の有無をモニタリングすることにより、ほぼ全てのケースで退室判断を行うことができる（人感センサ２０により感知信号が出力されない状態で内部から常開扉ＤOが開けられて扉センサ１０から開信号が出力されることは想定し難いためである）。
【００７９】
また、以上説明した実施形態に係る個室管理システム１においては、個室Ｐ内に使用者が入室したものと判断した後に、「初期アクティブ状態」や「定期アクティブ状態」において扉センサ１０から開信号が出力された場合に、個室Ｐから使用者が退室したものと判断することもできる。「初期アクティブ状態」や「定期アクティブ状態」のまま人感センサ２０が故障して感知信号を出力しなくなるようなケースもあり得る。そのような場合においても、扉センサ１０からの開信号の出力の有無をモニタリングすることにより、退室判断を行うことができる。
【００８０】
また、以上説明した実施形態に係る個室管理システム１においては、個室Ｐ内に使用者が入室した後に人感センサ２０から感知信号が所定時間（例えば１０分間）以上出力されない場合に、個室Ｐ内に動かない急病人が存在すると判断し、その判断を表示部４０に表示することができる。
【００８１】
また、以上説明した実施形態に係る個室管理システム１においては、個室Ｐ内に使用者が入室した後に人感センサ２０からの感知信号の出力が所定時間（例えば２０分）継続された場合に、個室Ｐ内に留まり動き続けている不審者が存在すると判断し、その判断を表示部４０に表示することができる。
【００８２】
また、以上説明した実施形態に係る個室管理システム１においては、扉センサ１０が、常開扉ＤOの動きが所定時間（例えば２０分間）なかった場合に、直前に送信した信号と同じ信号を定期的に出力する定期出力モードで動作することができる。従って、扉センサ１０の動作（信号の出力）に要する電力を節減することが可能となる。また、定期的に信号を出力することにより、個室Ｐの利用がなく信号が送信されない時間帯（例えば、夜や休館日等）でも、扉センサ１０が正常に動作していることを遠隔地から確認することが可能となる。
【００８３】
また、以上説明した実施形態に係る個室管理システム１においては、扉センサ１０及び人感センサ２０を、各々に設けたソーラーパネルで生成した電力により駆動することができる。従って、コンセントを介した電力の供給が不要となるとともに、乾電池や蓄電池等の化学電池を設ける必要もなくなる。また、コンセント等からの給電の必要が無くなるため、光により電力を生成できる箇所であれば扉センサ１０及び人感センサ２０を設置可能となる。
【００８４】
また、以上説明した実施形態に係る個室管理システム１において、扉センサ１０及び人感センサ２０は、ソーラーパネルで生成した電力を蓄電することができるので、電力を生成できない状況（例えばソーラーパネルに長期間光が当たらないような状況）においても信号を出力し続けることが可能となる。かかる蓄電機能がない場合には、ソーラーパネルに光が当たらない限り信号の出力ができなくなり、故障といった誤判断がもたらされることとなる。
【００８５】
また、以上説明した実施形態に係る個室管理システム１において、人感センサ２０は芳香剤及び／又は消臭剤を有しているため、人感センサ２０とは別に芳香剤や消臭剤を設ける必要がない。
【００８６】
＜第二実施形態＞
次に、本発明の第二実施形態に係る個室管理システム１Ａの構成について説明する。本実施形態に係る個室管理システム１Ａは、常閉扉ＤCを有する個室Ｐの使用状況を把握するためのものであって、個室状況の判断手法が第一実施形態における判断手法と若干異なっているが、扉センサ１０、人感センサ２０及び表示部４０の構成は第一実施形態と実質的に同一である。このため、第一実施形態と異なる部分を中心に説明し、第一実施形態と実質的に同一の構成については同一の符号を付して詳細な説明を省略することとする。なお、便宜上、図１及び図２を流用して本実施形態に係る個室管理システム１Ａの構成を説明する。
【００８７】
本実施形態に係る個室管理システム１Ａは、個室Ｐの常閉扉ＤCが開いたときに開信号を出力する一方、個室Ｐの常閉扉ＤCが閉じたときに閉信号を出力するように構成された扉センサ１０と、人の動きを感知したときに感知信号を出力する人感センサ２０と、個室Ｐの状況を判断する個室状況判断部３０Ａと、個室の状況を表示する表示部４０と、を備えている。扉センサ１０、人感センサ２０及び表示部４０は、第一実施形態におけるものと実質的に同一であるため、詳細な説明を省略する。
【００８８】
個室状況判断部３０Ａは、扉センサ１０から出力された信号と、人感センサ２０から出力された信号と、に基づいて個室Ｐの状況を判断する機能を有している。個室状況判断部３０Ａの形態は、このような機能を有するものであれば特に限定はなく、例えばインターネット回線を介して提供される特定のシステムを採用することができる。本実施形態に係る個室管理システム１Ａにおいては、各扉センサ１０から出力された信号と、各人感センサ２０から出力された信号と、を中継器５０で受信し、中継器５０がこれらの信号をまとめて個室状況判断部３０Ａに送信するようになっている。
【００８９】
個室状況判断部３０Ａは、扉センサ１０から所定時間（例えば１０分間）内に開信号及び閉信号が各々所定回数（例えば３回）以上出力され、かつ、人感センサ２０から感知信号が出力された場合に、個室Ｐが使用不可能な状況であると判断する。また、個室状況判断部３０Ａは、人感センサ２０からの感知信号を伴わず、扉センサ１０から開信号及び閉信号が各々所定回数（例えば２回）以上連続して出力された場合においても、個室Ｐが使用不可能な状況であると判断する。さらに、個室状況判断部３０Ａは、扉センサ１０から閉信号が所定時間以上出力されない場合に、常閉扉ＤCに異常があるものと判断する。また、個室状況判断部３０Ａは、人感センサ２０から感知信号が出力された時点の前後において扉センサ１０から開信号及び閉信号がこの順で所定回数未満（例えば１回ずつ）出力された場合に、個室Ｐ内に使用者が入室したものと判断する。なお、個室状況判断部３０Ａは、扉センサ１０から閉信号が所定時間以上出力されない場合に、（常閉扉ＤCの異常ではなく）常閉扉ＤCが清掃等で開かれた状態にあるものと判断することもできる。
【００９０】
さらに、個室状況判断部３０Ａは、個室Ｐ内に使用者が入室したものと判断した後に、人感センサ２０の「待機状態」において扉センサ１０から開信号及び閉信号がこの順で出力された場合に、個室Ｐから使用者が退室したものと判断する。また、個室状況判断部３０Ａは、個室Ｐ内に使用者が入室したものと判断した後に、人感センサ２０の「待機状態」において、扉センサ１０から開信号及び閉信号がこの順で出力され、その後、開信号及び閉信号がこの順で出力された場合に、個室Ｐ内に使用者が入室したものと判断する。なお、個室状況判断部３０Ａは、個室Ｐ内に使用者が入室したものと判断した後に、人感センサ２０の故障等により退室に伴う人の動きを感知できず「初期アクティブ状態」又は「定期アクティブ状態」において扉センサ１０から開信号及び閉信号がこの順で出力された場合においても、個室Ｐから使用者が退室したものと判断する。
【００９１】
また、個室状況判断部３０Ａは、個室Ｐ内に使用者が入室したものと判断した後に、人感センサ２０から感知信号が所定時間（例えば１０分間）以上出力されない場合に、個室内に急病人が存在すると判断する。また、個室状況判断部３０Ａは、個室Ｐ内に使用者が入室したものと判断した後に、人感センサ２０からの感知信号の出力が所定時間（例えば２０分間）継続された場合に、個室Ｐ内に不審者が存在すると判断する。
【００９２】
次に、図６〜図８のフローチャートを用いて、本実施形態に係る個室管理システム１Ａによる判断の流れについて説明する。
【００９３】
まず、図６に示すように、人感センサ２０は、「初期アクティブ状態」又は「定期アクティブ状態」において個室Ｐ内における人の動きを感知した場合に（ステップＳ１：Yes）、感知信号を出力する（ステップＳ２）。次いで、個室状況判断部３０Ａは、人感センサ２０から感知信号が出力された時点の前後（例えばその時点の１分前から１分後までの間）で扉センサ１０から開信号及び閉信号がこの順で所定回数（例えば２回）未満出力されている（ステップＳ３Ａ：Yes）と判断した場合には、個室Ｐ内に使用者が入室したものと判断する（ステップＳ４）。一方、個室状況判断部３０Ａは、人感センサ２０から感知信号が出力された時点の前後で扉センサ１０から開信号及び閉信号が各々所定回数以上出力されている（ステップＳ４０：Yes）と判断した場合に、個室Ｐ内で清掃等が行われているものと判断する（ステップＳ５）。個室状況判断部３０Ａは、ステップＳ４及びＳ５における判断結果を表示部４０に表示する。
【００９４】
ここで、人感センサ２０は、感知信号の出力時点から所定の待機時間（例えば１分間）が経過するまでは、感知信号を出力しない「待機状態」とされる（ステップＳ６：No、図８のステップＳ３０）。一方、人感センサ２０は、待機時間が経過した後、感知信号を出力可能な「初期アクティブ状態」とされる（ステップＳ６：Yes、図７のステップＳ１０）。
【００９５】
人感センサ２０は、「初期アクティブ状態」において個室Ｐ内における人の動きを感知したときに感知信号を出力し（ステップＳ１１：Yes、ステップＳ１２）、図８のステップＳ３０に移行する。一方、人感センサ２０、「初期アクティブ状態」において個室Ｐ内における人の動きを所定時間（例えば４分間）感知しないときに初期非感知信号を出力し（ステップＳ１１：No、ステップＳ１３：Yes、ステップＳ１４）、その後、感知信号を出力可能な「定期アクティブ状態」とされる（ステップＳ２０）。
【００９６】
人感センサ２０は、「定期アクティブ状態」において個室Ｐ内における人の動きを感知したときに感知信号を出力し（ステップＳ２１：Yes、ステップＳ２２）、図８のステップＳ３０に移行する。一方、人感センサ２０は、「定期アクティブ状態」において個室Ｐ内における人の動きを所定時間（例えば２０分間）感知しないときに定期非感知信号を出力し（ステップＳ２１：No、ステップＳ２３：Yes、ステップＳ２４）、その後、再度「定期アクティブ状態」とされる（ステップＳ２０）。
【００９７】
個室状況判断部３０Ａは、個室Ｐ内に使用者が入室したものと判断した後に、人感センサ２０の「待機状態」において扉センサ１０から開信号及び閉信号がこの順で出力された場合に、個室Ｐから使用者が退室したものと判断する（図８のステップＳ３１Ａ：Yes、ステップＳ３２）。また、個室状況判断部３０Ａは、その後、「待機状態」において開信号及び閉信号がこの順で出力された場合に、個室Ｐ内に使用者が入室したものと判断する（ステップＳ３３：No、ステップＳ３４Ａ：Yes、ステップＳ３５）。なお、個室状況判断部３０Ａは、個室Ｐ内に使用者が入室したものと判断した後に、人感センサ２０の故障等により退室に伴う人の動きを感知できず「初期アクティブ状態」又は「定期アクティブ状態」において扉センサ１０から開信号及び閉信号がこの順で出力された場合においても、個室Ｐから使用者が退室したものと判断することができる。これらの入室判断もしくは退室判断が行われた場合、表示部４０にその判断を表示する。
【００９８】
以上説明した実施形態に係る個室管理システム１Ａにおいては、扉センサ１０からの信号と、人感センサ２０からの信号と、の組合せにより、個室Ｐの状況を正確に判断することが可能となる。すなわち、（例えば、業者が個室Ｐ内の清掃を行っているために常閉扉ＤCが短い時間に何度も開閉されたり、個室Ｐ内が使用不可能なほどに汚れているために常閉扉ＤCが短い時間に複数の者により開閉されたりすることにより）扉センサ１０から所定時間内に開信号及び閉信号が各々所定回数以上出力され、かつ、人感センサ２０から感知信号が出力された場合に、個室Ｐが使用不可能な状況であるものと判断することができる。従来の技術によれば、常閉扉ＤCが閉じられている場合には「個室Ｐが使用可能な状況である」と判断されることとなるが、常閉扉ＤCが一時的に閉じられていても個室Ｐが使用不可能な状況（例えば、業者が個室Ｐ内の清掃を行っていたり、個室Ｐ内が使用不可能なほどに汚れたりしている状況）があり得る。本実施形態に係る個室管理システム１Ａによれば、このような状況を、扉センサ１０からの信号だけではなく人感センサ２０からの信号を参照することにより容易に特定することができる。例えば、業者が個室Ｐ内の清掃を行っている場合には、個室Ｐ内における業者の動きを人感センサ２０が感知して感知信号を出力する。また、個室Ｐ内が使用不可能なほどに汚れている場合には、個室Ｐ内に一度入り込んだ使用者の動きを人感センサ２０が感知して感知信号を出力する。個室状況判断部３０Ａは、常閉扉ＤCが一時的に閉じられていてもこれらのような感知信号が出力された場合に、個室Ｐ内が使用不可能な状況であると判断することができる。
【００９９】
また、以上説明した実施形態に係る個室管理システム１Ａにおいては、扉センサ１０からの信号と、人感センサ２０からの信号と、の組合せにより、個室Ｐの状況を正確に判断することが可能となる。すなわち、（例えば、常閉扉ＤCを少し開けるだけで個室Ｐ内に入室せずに個室Ｐ内が使用不可能なほどに汚れている状況に気付けるような場合に、常閉扉ＤCが連続して複数の者により開閉されたりすることにより）人感センサ２０が人の動きを感知せずに、扉センサ１０から開信号及び閉信号が各々所定回数以上連続して出力された場合に、個室Ｐが使用不可能な状況であるものと判断することができる。従来の技術によれば、常閉扉ＤCを有する個室Ｐにおいて人感センサ２０から感知信号が無く、常閉扉ＤCが閉じられている場合には「個室Ｐが使用可能な状況である」と判断されることとなるが、常閉扉ＤCが一時的に閉じられていても個室Ｐが使用不可能な状況（例えば、個室Ｐ内が使用不可能なほどに汚れたりしている状況）があり得る。本実施形態に係る個室管理システム１Ａによれば、このような状況を、扉センサ１０からの信号だけではなく人感センサ２０からの感知信号が無いことを参照することにより容易に特定することができる。例えば、個室Ｐ内が使用不可能なほどに汚れている場合には、常閉扉ＤCを開け個室Ｐ内に入り込まずにその状況に気付いたため個室Ｐの利用を諦めた者の存在を、扉センサ１０からの信号と、人感センサ２０からの感知信号が無いことと、を組み合わせることで、個室状況判断部３０Ａは個室Ｐ内が使用不可能な状況であると判断することができる。
【０１００】
また、以上説明した実施形態に係る個室管理システム１Ａにおいては、扉センサ１０から閉信号が所定時間以上出力されない場合に、常閉扉ＤCに異常があるものと判断することができる。常閉扉ＤCの場合、その開閉に伴って開信号の出力の直後に閉信号の出力が続くはずであるが、建て付け不良等に起因して常閉扉ＤCが閉まらなかった場合は、閉信号が所定時間以上出力されないこととなる。従って、閉信号が所定時間以上出力されないことにより、常閉扉ＤCに異常があるものと判断することができる。
【０１０１】
また、以上説明した実施形態に係る個室管理システム１Ａにおいては、人感センサ２０の「待機状態」において扉センサ１０から開信号及び閉信号がこの順で出力された場合に、個室Ｐ内に使用者が入室したものと判断することができる。また、「初期アクティブ状態」や「定期アクティブ状態」において人感センサ２０により感知信号が出力された時点の前後において扉センサ１０から開信号及び閉信号がこの順で所定回数未満出力された場合に、個室Ｐ内に使用者が入室したものと判断することができる。
【０１０２】
また、以上説明した実施形態に係る個室管理システム１Ａにおいては、個室Ｐ内に使用者が入室したものと判断した後に、「待機状態」において扉センサ１０から開信号及び閉信号がこの順で出力された場合に、個室Ｐから使用者が退室したものと判断することができる。「初期アクティブ状態」や「定期アクティブ状態」において人感センサ２０により感知信号が出力された直後には「待機状態」とされるため、「待機状態」において扉センサ１０からの開閉信号の出力の有無をモニタリングすることにより、ほぼ全てのケースで退室判断を行うことができる（人感センサ２０により感知信号が出力されない状態で内部から常閉扉ＤCが開けられて扉センサ１０から開閉信号が出力されることは想定し難いためである）。
【０１０３】
また、以上説明した実施形態に係る個室管理システム１Ａにおいては、個室Ｐ内に使用者が入室したものと判断した後に、「初期アクティブ状態」や「定期アクティブ状態」において扉センサ１０から開信号及び閉信号がこの順で出力された場合に、個室Ｐから使用者が退室したものと判断することもできる。「初期アクティブ状態」や「定期アクティブ状態」のまま人感センサ２０が故障して感知信号を出力しなくなるようなケースもあり得る。そのような場合においても、扉センサ１０からの開閉信号の出力の有無をモニタリングすることにより、退室判断を行うことができる。
【０１０４】
なお、以上の各実施形態においては、人感センサ２０に芳香剤兼消臭剤Ｆを設けた例を示したが、扉センサ１０に芳香剤兼消臭剤Ｆを設けることもできる。また、扉センサ１０に芳香剤（消臭剤）を設ける一方、人感センサ２０に消臭剤（芳香剤）を設けてもよい。
【０１０５】
本発明は、以上の各実施形態に限定されるものではなく、これら実施形態に当業者が適宜設計変更を加えたものも、本発明の特徴を備えている限り、本発明の範囲に包含される。すなわち、前記各実施形態が備える各要素及びその配置、材料、条件、形状、サイズ等は、例示したものに限定されるわけではなく適宜変更することができる。また、前記各実施形態が備える各要素は、技術的に可能な限りにおいて組み合わせることができ、これらを組み合わせたものも本発明の特徴を含む限り本発明の範囲に包含される。
【符号の説明】
【０１０６】
１・１Ａ…個室管理システム
１０…扉センサ
２０…人感センサ
３０・３０Ａ…個室状況判断部
４０…表示部
１００…スマートフォン（外部端末）
２００…デスクトップＰＣ（外部端末）
ＤO…常開扉
ＤC…常閉扉
Ｆ…芳香剤兼消臭剤
Ｐ…個室
ＳD・ＳP…ソーラーパネル
【図１】
2018073077.tif 000003
【図２】
2018073077.tif 000004
【図３】
2018073077.tif 000005
【図４】
2018073077.tif 000006
【図５】
2018073077.tif 000007
【図６】
2018073077.tif 000008
【図７】
2018073077.tif 000009
【図８】
2018073077.tif 000010
【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
個室の常開扉が開いたときに開信号を出力する一方前記常開扉が閉じたときに閉信号を出力する扉センサと、前記個室内における人の動きを感知したときに感知信号を出力する人感センサと、前記扉センサから出力された信号と前記人感センサから出力された信号とに基づいて前記個室の状況を判断する個室状況判断部と、前記個室状況判断部で判断された前記個室の状況を表示する表示部と、を備える個室管理システムであって、
前記個室状況判断部は、前記扉センサから前記閉信号が出力されていない状態で前記人感センサから前記感知信号が出力された場合に、前記個室が使用不可能な状況であると判断し、
前記表示部は、前記個室から離隔した外部端末に設けられており、
前記人感センサは、前記感知信号が出力された時点から所定の待機時間が経過するまで次の感知信号を出力しない待機状態とされ、前記待機時間の経過後に、前記感知信号を出力可能な初期アクティブ状態とされ、前記初期アクティブ状態において前記個室内における人の動きを第一所定時間感知しないときに初期非感知信号を出力し、その後、前記感知信号を出力可能な定期アクティブ状態とされ、前記定期アクティブ状態において前記個室内における人の動きを第二所定時間感知しないときに定期非感知信号を出力し、その後、再度前記定期アクティブ状態とされ、
前記第二所定時間は、前記第一所定時間よりも長く設定されている、個室管理システム。
【請求項２】
前記個室状況判断部は、前記待機状態において前記扉センサから前記閉信号が出力された場合に、前記個室内に使用者が入室したものと判断する、請求項１に記載の個室管理システム。
【請求項３】
前記人感センサは、前記初期アクティブ状態又は前記定期アクティブ状態において前記個室内における人の動きを感知したときに前記感知信号を出力し、
前記個室状況判断部は、前記人感センサから前記感知信号が出力された時点の前後において前記扉センサから前記閉信号が出力された場合に、前記個室内に使用者が入室したものと判断する、請求項１又は２に記載の個室管理システム。
【請求項４】
前記個室状況判断部は、前記個室内に使用者が入室したものと判断した後に、前記待機状態において前記扉センサから前記開信号が出力された場合に、前記個室から使用者が退室したものと判断する、請求項１から３の何れか一項に記載の個室管理システム。
【請求項５】
前記個室状況判断部は、前記個室内に使用者が入室したものと判断した後に、前記初期アクティブ状態又は前記定期アクティブ状態において前記扉センサから前記開信号が出力された場合に、前記個室から使用者が退室したものと判断する、請求項１から３の何れか一項に記載の個室管理システム。
【請求項６】
個室の常閉扉が開いたときに開信号を出力する一方、前記常閉扉が閉じたときに閉信号を出力する扉センサと、
前記個室内における人の動きを感知したときに感知信号を出力する人感センサと、
前記扉センサから出力された信号と、前記人感センサから出力された信号と、に基づいて前記個室の状況を判断する個室状況判断部と、
前記個室状況判断部で判断した前記個室の状況を表示する表示部と、を備え、
前記個室状況判断部は、前記扉センサから所定時間内に前記開信号及び前記閉信号が各々所定回数以上出力され、かつ、前記人感センサから前記感知信号が出力された場合に、前記個室が使用不可能な状況であるものと判断し、
前記表示部は、前記個室から離隔した外部端末に設けられている、
個室管理システム。
【請求項７】
個室の常閉扉が開いたときに開信号を出力する一方、前記常閉扉が閉じたときに閉信号を出力する扉センサと、
前記個室内における人の動きを感知したときに感知信号を出力する人感センサと、
前記扉センサから出力された信号と、前記人感センサから出力された信号と、に基づいて前記個室の状況を判断する個室状況判断部と、
前記個室状況判断部で判断した前記個室の状況を表示する表示部と、を備え、
前記個室状況判断部は、前記人感センサから前記感知信号が出力されずに、前記扉センサから所定時間内に前記開信号及び前記閉信号が各々所定回数以上出力された場合に、前記個室が使用不可能な状況であるものと判断し、
前記表示部は、前記個室から離隔した外部端末に設けられている、
個室管理システム。
【請求項８】
前記個室状況判断部は、前記扉センサから前記閉信号が所定時間以上出力されない場合に、前記常閉扉に異常があるものと判断する、請求項６又は７に記載の個室管理システム。
【請求項９】
前記人感センサは、前記感知信号が出力された時点から所定の待機時間が経過するまで次の感知信号を出力しない待機状態とされ、前記待機時間の経過後に、前記感知信号を出力可能な初期アクティブ状態とされる、請求項６から８の何れか一項に記載の個室管理システム。
【請求項１０】
前記人感センサは、前記初期アクティブ状態において前記個室内における人の動きを所定時間感知しないときに初期非感知信号を出力し、その後、前記感知信号を出力可能な定期アクティブ状態とされる、請求項９に記載の個室管理システム。
【請求項１１】
前記人感センサは、前記定期アクティブ状態において前記個室内における人の動きを所定時間感知しないときに定期非感知信号を出力し、その後、再度前記定期アクティブ状態とされる、請求項１０に記載の個室管理システム。
【請求項１２】
前記個室状況判断部は、前記待機状態において前記扉センサから前記開信号及び前記閉信号がこの順で出力された場合に、前記個室内に使用者が入室したものと判断する、請求項９から１１の何れか一項に記載の個室管理システム。
【請求項１３】
前記人感センサは、前記初期アクティブ状態又は前記定期アクティブ状態において前記個室内における人の動きを感知したときに前記感知信号を出力し、
前記個室状況判断部は、前記人感センサから前記感知信号が出力された時点の前後において前記扉センサから前記開信号及び前記閉信号がこの順で出力された場合に、前記個室から使用者が入室したものと判断する、請求項１０又は１１に記載の個室管理システム。
【請求項１４】
前記個室状況判断部は、前記個室内に使用者が入室したものと判断した後に、前記待機状態において前記扉センサから前記開信号及び前記閉信号がこの順で出力された場合に、前記個室から使用者が退室したものと判断する、請求項９から１３の何れか一項に記載の個室管理システム。
【請求項１５】
前記個室状況判断部は、前記個室内に使用者が入室したものと判断した後に、前記初期アクティブ状態又は前記定期アクティブ状態において前記扉センサから前記開信号及び前記閉信号がこの順で出力された場合に、前記個室から使用者が退室したものと判断する、請求項１０、１１及び１３の何れか一項に記載の個室管理システム。
【請求項１６】
前記個室状況判断部は、前記個室内に使用者が入室したものと判断した後に、前記人感センサから前記感知信号が所定時間以上出力されない場合に、前記個室内に急病人が存在すると判断し、その判断を前記表示部に表示する、請求項１から１５の何れか一項に記載の個室管理システム。
【請求項１７】
前記個室状況判断部は、前記個室内に使用者が入室したものと判断した後に、前記人感センサからの前記感知信号の出力が所定時間継続された場合に、前記個室内に不審者が存在すると判断し、その判断を前記表示部に表示する、請求項１から１６の何れか一項に記載の個室管理システム。
【請求項１８】
前記扉センサは、前記扉の動きが所定時間なかった場合に、直前に送信した信号と同じ信号を定期的に出力する定期出力モードで動作する、請求項１から１７の何れか一項に記載の個室管理システム。
【請求項１９】
前記扉センサ及び前記人感センサは、各々ソーラーパネルを有するとともに、前記ソーラーパネルで生成された電力により駆動されるように構成されている、請求項１から１８の何れか一項に記載の個室管理システム。
【請求項２０】
前記扉センサ及び前記人感センサは、前記ソーラーパネルで生成された電力を蓄電するように構成されている、請求項１９に記載の個室管理システム。
【請求項２１】
前記扉センサ及び／又は人感センサは、芳香剤及び／又は消臭剤を有している、請求項１から２０の何れか一項に記載の個室管理システム。